(57)【特許請求の範囲】
【請求項１】
箱状に形成した機体内の上部に、乾燥すべき穀粒を張込む貯留部を形成し、その下方に通気性の多孔を有した穀粒の乾燥通路を形成し、その下端部を穀粒を定量繰り出しする繰出装置に臨むべく装設し、機体中央下部に横架した、穀粒を機体前方一側に設けた昇降機に搬送する下部搬送装置に前記繰出装置から繰出された穀粒を流下すべく集穀板を装設した穀粒乾燥機において、
一方を熱風を生成するバーナに連通し、他方を機体後下部に形成した開口部３１と連通する遠赤外線放射体を、正面視においてその中央部が前記繰出装置と略同じ高さに位置すべく配設し、
前記遠赤外放射体には、機体後ろ下がりで斜傾し且つその終端側に熱風吹出口２９を開口する傾斜仕切板２３と、
一端を機体前壁面に向けて開口した前方吸入口３３と、他端を傾斜仕切板２３の中途で開口した後方開口部３４とを備える筒体３２を、前記傾斜仕切板２３に沿って設けたことを特徴とする遠赤外線穀粒乾燥機。
【請求項２】
箱状に形成した機体内の上部に、乾燥すべき穀粒を張込む貯留部を形成し、その下方に通気性の多孔を有した穀粒の乾燥通路を逆ハ字状に形成し、その下端部を穀粒を定量繰り出しする繰出装置に臨むべく装設し、機体中央下部に横架した、穀粒を機体前方一側に設けた昇降機に搬送する下部搬送装置に前記繰出装置から繰出された穀粒を流下すべく集穀板を装設した穀粒乾燥機において、
一方を熱風を生成するバーナに連通し、他方を機体後下部に形成した開口部３１と連通する遠赤外線放射体を、前記機体中央側の乾燥通路と前記下部搬送装置との間に設け、
前記遠赤外放射体には、機体後ろ下がりで斜傾し且つその終端側に熱風吹出口２９を開口する傾斜仕切板２３と、
一端を機体前壁面に向けて開口した前方吸入口３３と、他端を傾斜仕切板２３の中途で開口した後方開口部３４とを備える筒体３２を、前記傾斜仕切板２３に沿って設けたことを特徴とする遠赤外線穀粒乾燥機。
【発明の詳細な説明】
【０００１】
【発明の属する技術分野】
本発明は、穀粒を下部搬送装置に集穀する集穀板と乾燥通路を形成する多孔板とにより形成される集穀室に遠赤外線放射体を配設した穀粒乾燥機に関するものである。
【０００２】
【従来の技術】
機内を循環させながら熱風を供給して穀粒の乾燥を行う循環型の穀粒乾燥機は従来からよく知られている。
また、始端側を燃焼装置に臨ませ、終端側を乾燥機後壁面に対向するように配設した遠赤外線放射体を集穀室又は熱風室に設け、該遠赤外線放射体を燃焼装置により加熱し、遠赤外線放射体から放射される遠赤外線と燃焼装置による熱風により穀粒を乾燥するようにした穀粒乾燥機が知られている。
【０００３】
従来の遠赤外線穀粒乾燥機としては、例えば図５に示す特許第３０４３５７２号のものがある。この乾燥機１００は、空洞状の遠赤外線放射体１０１であって、該放射体１０１の基端側は燃焼装置に接続され、吐出側は屈曲噴焔筒１０２を経て取出し槽１０３の一側より挿入した両端開放状の吸気筒１０４に接続開口して、屈曲噴焔筒１０２より噴出する燃焼熱気と吸入外気とを攪拌混合して取出し槽１０３内に乾燥用熱風を流通せしめる構成である。
このような従来例では、遠赤外線放射体１０１から排出された燃焼熱気を外気と攪拌混合するため、屈曲噴焔筒１０２と吸気筒１０４を配設するための空間が必要である。しかし、伝動部を上記屈曲噴焔筒１０２近傍に設ける従来機型の乾燥機にあっては断熱や遮熱装置が必要であり、このような装置を設けないためには伝動部を上記屈曲噴焔筒１０２から遠ざける必要が生じる。このため、取出し槽１０３を含む機枠の高さを高くする必要が生じる。
【０００４】
また、図６に示す特開平１０−３００３４７号公報には、遠赤外線放射体の温度の均一化を図るために、遠赤外線放射体２０１内の熱風発生装置２０４側寄りに、ステンレスなどの耐熱板で形成された通風抵抗板２０２、２０３を設けた例が開示されている。
しかし、上記通風抵抗板２０２は遠赤外線放射体２０１の主筒内部の通風路断面の約５０％を遮断するもので、通風抵抗板２０３は約２０％を遮断するものとして組み合わせている。この場合、遠赤外線放射体２０１内の通気抵抗が大きく所定の風量を発生するために所要動力を多くする必要がある。
さらに、図７に示す特開平１０−２０６０１６号公報には、遠赤外線を放射する放射管３０１が第二の熱分配室３０３から延設され、該第二の熱分配室３０３は連通管３０４を介して第一の熱分配室３０２及びバーナ３０５と連通する構成が開示されている。
しかし、第一の熱分配室３０２、第二の熱分配室３０３、連通管３０４及び放射管３０１はそれぞれ分離、独立しているため、遠赤外線装置が大掛かりなものとなり、出来るだけ機体高を低くしたい穀粒乾燥機にあっては、これら熱分配室を乾燥通路下部の集穀室内に設置できないという欠点がある。
【０００５】
【発明が解決しようとする課題】
本発明は、上記従来の問題を解決するためになされたものであって、その目的とするところは、熱風発生装置による熱風と外気との混合が促進され、通気抵抗が少なく、その結果、所要動力の少ないコンパクトな遠赤外線放射体を備えることにより、伝動構成に断熱や遮熱手段を講じる必要が無く、機体高を低く出来る穀粒乾燥機を提供することにある。
【０００６】
【課題を解決するための手段】
かかる目的を達成するために、請求項１の発明は、箱状に形成した機体内の上部に、乾燥すべき穀粒を張込む貯留部を形成し、その下方に通気性の多孔を有した穀粒の乾燥通路を形成し、その下端部を穀粒を定量繰り出しする繰出装置に臨むべく装設し、機体中央下部に横架した、穀粒を機体前方一側に設けた昇降機に搬送する下部搬送装置に前記繰出装置から繰出された穀粒を流下すべく集穀板を装設した穀粒乾燥機において、一方を熱風を生成するバーナに連通し、他方を機体後下部に形成した開口部３１と連通する遠赤外線放射体を、正面視においてその中央部が前記繰出装置と略同じ高さに位置すべく配設し、前記遠赤外放射体には、機体後ろ下がりで斜傾し且つその終端側に熱風吹出口２９を開口する傾斜仕切板２３と、一端を機体前壁面に向けて開口した前方吸入口３３と、他端を傾斜仕切板２３の中途で開口した後方開口部３４とを備える筒体３２を、前記傾斜仕切板２３に沿って設けたことを特徴とする。
請求項１の発明によれば、乾燥通路及び集穀室を形成する集穀板を流下する穀粒のいずれにも遠赤外線を放射しながら熱風を通気することが出来るため、遠赤外線放射による乾燥時間を長くとることが可能で、乾燥を促進できる。
【０００７】
また、請求項２の発明は、箱状に形成した機体内の上部に、乾燥すべき穀粒を張込む貯留部を形成し、その下方に通気性の多孔を有した穀粒の乾燥通路を逆ハ字状に形成し、その下端部を穀粒を定量繰り出しする繰出装置に臨むべく装設し、機体中央下部に横架した、穀粒を機体前方一側に設けた昇降機に搬送する下部搬送装置に前記繰出装置から繰出された穀粒を流下すべく集穀板を装設した穀粒乾燥機において、一方を熱風を生成するバーナに連通し、他方を機体後下部に形成した開口部と連通する遠赤外線放射体を、前記機体中央側の乾燥通路と前記下部搬送装置との間に設け、
前記遠赤外放射体には、機体後ろ下がりで斜傾し且つその終端側に熱風吹出口２９を開口する傾斜仕切板２３と、一端を機体前壁面に向けて開口した前方吸入口３３と、他端を傾斜仕切板２３の中途で開口した後方開口部３４とを備える筒体３２を、前記傾斜仕切板２３に沿って設けたことを特徴とする。
請求項２の発明によれば、請求項１の発明と同様に、乾燥通路及び集穀室を形成する集穀板を流下する穀粒のいずれにも遠赤外線を放射しながら熱風を通気することが出来、乾燥を促進できる。
【０００８】
また、請求項１，２の発明は、機体の前壁面の開口部から導入される外気が筒体３２の前方吸入口３３を通って後方開口部３４より排出されると共に、機体後方の開口部３１からも外気が導入される。そして、燃焼装置１９による熱風は熱風吹出口２９より上方へ吹き出し、後方開口部３４と開口部３１から吸引された外気と混合されて上面の排気口２６より排気され穀粒の乾燥に利用される。
【０００９】
【発明の実施の形態】
以下に、図面を参照して本発明の実施の形態について説明する。
図１及び図２は本発明に係わる穀粒乾燥機を示すもので、図１はその正面からみた断面図、図２はその側断面図である。
ここに示した穀粒乾燥機１は、穀粒を乾燥するための循環型の乾燥機であり、全体は箱型形状を成し、機枠２の内部には、貯留室３、乾燥室４、集穀室５、熱風室６、排風室７等を有している。
貯留室３は乾燥部の上段に位置し、該貯留室３には、機内に張り込んだ穀粒が循環して上方より供給される。該貯留室３の下部には、上半部がハ字形の板金材８、８で下半部が通気性板材９、９で構成された断面菱形状の排風室７を左右一対設けている。この下半部の通気性板材９、９と平行に通気性板材１０、１０を設け、通気性板材９と通気性板材１０とに挟まれる断面Ｖ形状の乾燥室４を形成している。該乾燥室４の集合下部には夫々ロータリバルブ１１、１１を設け、このロータリバルブからの所定量毎の繰出し穀粒を集穀室５を構成するホッパ状に形成した集穀板１３に集めてその下部に横設する下部送りラセン１２で機外立設の揚穀エレベータ１４に移送できる構成としている。乾燥室４を通過し穀粒の乾燥に供された熱風は排風室７を通って機外へ排出される。さらに、穀粒の水分を検出する水分計（図示せず）や熱風を発生する燃焼装置１９を備えている。
【００１０】
穀粒乾燥機１は、このような構成において、燃焼装置１９および排風室７の後部側に接続する排風ファン１７の作用により発生する熱風を乾燥室４に通気しつつ、機体長手方向に回転自在に配置されたロータリバルブ１１、１１で穀粒を一定量づつ繰り出し、その繰り出された穀粒を集穀板１３で集穀し、下部送りラセン１２で移送する。さらに揚穀エレベータ１４で上方へ移送し、横ラセン１８で中心部に移送し、攪拌羽根１５で貯留室３内に供給するという循環をしながら穀粒の乾燥を行なうようにした循環式の穀粒乾燥機である。そして、集穀室５と乾燥室４とは熱風室６を介して連通しており、集穀室５での風の流れによって、熱風は熱風室６の中央と外側とに分かれて、それぞれ乾燥室４へ送られる。図１の下方の矢印は熱風の主たる流れの方向を示している。１６は穀粒の張込口である。
【００１１】
また、集穀室５にあって機内の中央部分には、始端側を燃焼装置１９に臨ませ、終端側を機体後下部に形成した開口部３１と連通する箱形状の遠赤外線放射体２０を配設している。本発明においては、この遠赤外線放射体２０を正面視においてその中央部が前記ロータリバルブ１１と略同高さに位置すべく配設している。あるいは、この遠赤外線放射体２０を機体中央側の乾燥通路と前記下部送りラセン１２との間に配設している。
これにより、乾燥通路及び集穀室５を形成する集穀板１３上を流下する穀粒のいずれにも遠赤外線を放射しながら熱風を通気することが出来る。したがって、遠赤外線放射による乾燥時間を長くとることが可能で、穀粒の乾燥を促進できる。
【００１２】
図３に示す上記遠赤外線放射体２０の斜視図を参照して遠赤外線放射体２０の構成をさらに詳しく説明する。
上記遠赤外線放射体２０は、両端を開口し、上面に多数の排気口２６を形成した断面が多角形状の筒体２１内に、漸次断面径を減少すべく斜傾の仕切板２３を設けた筒体２２を内挿している。上記筒体２１の始端側の開口３０は燃焼装置１９に臨ませ、終端側は機体後下部に形成した開口部３１と連通する。筒体２２の傾斜仕切板２３の下端（終端）側には熱風吹出口２９を開口している。筒体２１の外壁面は遠赤外線放射材により形成する。具体的には、筒体２１の外壁面の表面に黒色の遠赤外線塗料を塗布する。
また、前記筒体２１と筒体２２間には複数の仕切板２４が前後方向に所定間隔で装設されている。この複数の仕切板２４は、筒体２２の傾斜仕切板２３下面との間の開口部２７と、筒体２１の底面との間の開口部２８とを一つ置きに形成するように配設される。
また、前記筒体２２の燃焼装置１９に臨む側の上方には、筒体２２の傾斜仕切板２３に沿って一端を機体前壁面の開口部に向け、他端を傾斜仕切板２３の中途で下方に向けた、両端が開口３３、３４した筒体３２を設けている。
さらに、前記筒体２１の上方には、断面山形状の覆い２５が設けられている。
【００１３】
遠赤外線放射体２０は以上のごとく構成され、始端側を前記燃焼装置１９に臨ませて燃焼装置１９による熱風を通気する。熱風は筒体２１内で、仕切板２４と筒体２２の傾斜仕切板２３下面との間の開口部２７、および仕切板２４と筒体２１の底面との間の開口部２８を順次通過していく。開口部２７と開口部２８は一つ置きに形成されているため、熱風は仕切板２４間において蛇行迂回しながら筒体２１の前方側から後方側へ向かって流れる。このように、熱風の迂回流れを生じることで筒体２１を万遍なく加熱することができ、遠赤外線の輻射熱を均一にできる効果がある。
【００１４】
仕切板２４間を蛇行迂回しながら流れた熱風は、傾斜仕切板２３に設けた吹出口２９より上方へ吹き出し、ここで筒体３２の開口部３４と開口部３１から吸引された外気と混合されて上面の排気口２６より排気され穀粒の乾燥に利用される。なお、機体の前壁面の開口部から導入される外気（前外気風）は筒体３２の前方吸入口３３を通って同じく筒体３２の後方開口部３４より排出されるとともに、機体後方開口部３１からも外気（後外気風）が導入される。このように、機枠前部に設けた外気吸入用の前開口部と機枠後部に設けた外気吸入用の後開口部との両方から吸引する構成としたため、乾燥用必要空気量を上記両開口部から容易に供給することができ、通気抵抗が小さく、少ない動力で乾燥風量を得ることができる。
また、遠赤外線放射体２０の上部に覆い２５を設けているため、機内で発生する塵埃等の落下侵入を防げる。
【００１５】
ところで、遠赤外線放射体２０の燃焼装置１９近傍の温度が上昇するため、そのままでは放射部が赤熱したり、燃焼装置１９のバーナ内部の温度が上昇するので、何らかの熱対策が必要である。そこで、上記遠赤外線放射体２０側部の壁面に例えばスリット、多孔板あるいは網体からなる外気流入用の流路（ａ）を形成することで、バーナ近傍の遠赤外線放射体２０の温度を下げ、バーナ、燃焼装置の上方に設けた制御箱４０、これらの周辺機器４１、ハーネス等の加熱を防止できる。
【００１６】
また、前記集穀室５を形成する集穀板１３の上面に断熱用の覆い板３５を設け、この覆い板３５は、ロータリバルブ１１直下から下部送りラセン１２に至る部分３５ａは集穀板１３と略平行して設けるとともに、ロータリバルブ１１より上方の部分３５ｂは集穀板１３とその距離を離して急傾斜に設ける。
このように構成すると、覆い板の急傾斜部分３５ｂに落下した夾雑物は滑り落ち、ロータリバルブ１１直下に至る。そして、ロータリバルブ１１は穀粒を強制的に繰り出すため、上記夾雑物は穀粒と一緒に下部送りラセン１２に流下する。このため、集穀室５内には夾雑物及び穀粒の堆積が生じない。
なお、上記例では覆い板３５は集穀板１３と異なる構成としたが、集穀板１３をロータリバルブ１１より上方の部分を急傾斜に構成してもよい。
【００１７】
次に、本発明に関連して、穀粒乾燥機の乾燥運転制御装置について説明する。
従来、乾燥速度が設定されると、予め設定されている乾燥速度と熱風温度との関係から熱風温度が設定されて乾燥運転が行われるが、初期穀物水分、処理量、外気温度、湿度等の影響で必ずしも設定した乾燥速度が得られないことがある。
そこで、乾燥速度を設定する手段と、熱風温度を設定する手段と、乾燥運転時間を計時する手段と、水分を検出する手段と、乾燥速度を算出する手段と、乾燥終了後の乾燥速度を記憶する手段と、設定した乾燥速度と乾燥終了時の乾燥速度との差から熱風温度を補正する手段とを備え、上記乾燥速度設定手段により設定された乾燥速度に基づいて乾燥運転を行い、乾燥終了時に乾燥運転時間と検出水分値から乾燥速度を算出する。算出した乾燥終了時の乾燥速度はＣＰＵに接続した不揮発メモリ（ＥＥＰＲＯＭ）に記憶させる。そして、この記憶した乾燥速度が予め設定した乾燥速度と差が生じた場合、該乾燥速度差に基づいて上記熱風温度補正手段により次回の乾燥時の熱風温度を補正して運転を行うように制御する。
このように、乾燥時の穀物種類や雰囲気条件が異なっても安定して設定した乾燥速度になるように制御を行うもので、ユーザによる作業計画に齟齬が生じることがないようにすることができる。
【００１８】
また、他の実施例としては、設定した水分により自動乾燥が終了した後、排出操作されずに乾燥スイッチが操作された場合は、乾燥の「戻り」が生じたためと判定する。ここで、この追い乾燥時間を計測し記憶する手段と、該追い乾燥時間と熱風温度又は停止水分或いは乾燥時間を補正する手段とを備え、上記追い乾燥時間の記憶値と上記乾燥時間補正手段との関係から熱風温度又は停止水分或いは乾燥時間を追い乾燥を排除する側、例えば仕上時の熱風温度を下げたり、停止水分を追い乾燥で低減した水分値分下げたり、追い乾燥時間分、停止条件内において延長すべく補正することとしてもよい。
【００１９】
【発明の効果】
以上詳細に説明したように、請求項１の発明によれば、乾燥通路及び集穀室を形成する集穀板上を流下する穀粒のいずれにも遠赤外線を放射しながら熱風を通気することが出来るため、遠赤外線放射による乾燥時間を長くとることが可能で乾燥を促進できる効果を奏する。
【００２０】
また、請求項２の発明によれば、請求項１の発明と同様に、乾燥通路及び集穀室を形成する集穀板上を流下する穀粒のいずれにも遠赤外線を放射しながら熱風を通気することが出来、乾燥を促進できる。
【００２１】
さらに、請求項１，２の発明では、機体の前壁面の開口部から導入される外気が筒体３２の前方吸入口３３を通って後方開口部３４より排出されると共に、機体後方の開口部３１からも外気が導入される。そして、燃焼装置１９による熱風は熱風吹出口２９より上方へ吹き出し、後方開口部３４と開口部３１から吸引された外気と混合されて上面の排気口２６より排気され穀粒の乾燥に利用される。
このように、機枠前部に設けた外気吸入用の前方吸入口３３と機枠後部に設けた外気吸入用の後開口部３１との両方から吸引する構成としたため、乾燥用必要空気量を上記両開口部から容易に供給することができ、通気抵抗が小さく、少ない動力で乾燥風量を得ることができる。
【図面の簡単な説明】
【図１】本発明に係る遠赤外線穀粒乾燥機の正面からみた断面図である。
【図２】その側断面図である。
【図３】本発明に係る遠赤外線放射体の斜視図である。
【図４】遠赤外線穀粒乾燥機の正面からみた断面図である。
【図５】従来例を示す図である。
【図６】他の従来例を示す図である。
【図７】その他の従来例を示す図である。
【符号の説明】
１  穀粒乾燥機
３  貯留室
４  乾燥室
５  集穀室
６  熱風室
７  排風室
１１  ロータリバルブ
１２  下部送りラセン
１９  燃焼装置
２０  遠赤外線放射体
２１、２２  筒体
２３  傾斜仕切板
２４  仕切板
２５  覆い
２６  排気口
２７、２８  開口部
【図１】
0004019657.tif 000002
【図２】
0004019657.tif 000003
【図３】
0004019657.tif 000004
【図４】
0004019657.tif 000005
【図５】
0004019657.tif 000006
【図６】
0004019657.tif 000007
【図７】
0004019657.tif 000008